(57)【要約】      （修正有）【課題】額物内に収納して展示する家紋などの装飾部材を展示姿勢位置を決めた状態でしっかりと固定維持することができる額縁を提供する。【解決手段】額縁１への展示物の取付け構造として、装飾部材７にスタッド溶接等により一体的に設けた複数本のボルト７ａを支持基板６のボルト孔を通して装飾部材７を回り止めして展示姿勢位置を決めた状態でナット７ｂ止めするように構成し、該ナット止め部の背面に位置する箱状の後部蓋材で被覆するようにして、長年月に亘って装飾部材の展示姿勢位置を決めてしっかりと固定維持することができる。【選択図】図−３
0003154281.tif 000002
【実用新案登録請求の範囲】
【請求項１】
額縁前後の中間に位置させて中間枠を設け、該中間枠に装飾部材を取り付けた支持基板を嵌め込み固定するのに、装飾部材に一体的に設けた複数本のボルトを支持基板のボルト孔を通して装飾部材を回り止めして展示姿勢位置を決めた状態でナット止めするように構成し、該ナット止め部の背面に位置する箱状の後部蓋材で被覆するようにし、該後部蓋材には、後部蓋材がナット止めに当接若しくは近接状態を維持するスペーサー枠体を設けてあることを特徴とする額縁への展示物の取付け構造。
【請求項２】
装飾部材を家紋に構成し、該家紋を外輪と内部の紋様を別体の部品に構成したもの若しくは外輪と内部の紋様を一体に構成したものにしたことを特徴とする請求項１に記載された額縁への展示物の取付け構造。
【考案の詳細な説明】
【技術分野】
【０００１】  本考案は、家紋、社章、看板、表示板、標識、案内板、銘板、絵画などの装飾部材からなる展示物を額物に収納して取り付けるものに関する。
【背景技術】
【０００２】  従来は、例えば特許文献１に示すような「耐汚染性の優れた金属製装飾プレート」や特許文献２に示されるような「壁掛け」が提案されているが、展示物の固定に際して取り付け構造が複雑であった。
【先行技術文献】
【特許文献】
【０００３】
【特許文献１】特公平６−１０２３９７号公報
【特許文献２】実開昭５６−１７１７６７号公報
【考案の概要】
【考案が解決しようとする課題】
【０００４】本考案は、家紋、社章、看板、表示板、標識、案内板、銘板、絵画などの装飾部材からなる展示物を、スタッド溶接などでボルトを一体的に取り付けて、これを基準に額縁に取り付けるようにしたもので、展示姿勢位置を決めて額縁内への展示物の固定を容易にすることを課題にする。
【課題を解決するための手段】
【０００５】  上記課題を解決するために、本考案の額縁への展示物の取付け構造は第一に、額縁前後の中間に位置させて中間枠を設け、該中間枠に装飾部材を取り付けた支持基板を嵌め込み固定するのに、装飾部材に一体的に設けた複数本のボルトを支持基板のボルト孔を通して装飾部材を回り止めして展示姿勢位置を決めた状態でナット止めするように構成し、該ナット止め部の背面に位置する箱状の後部蓋材で被覆するようにし、該後部蓋材には、後部蓋材がナット止めに当接若しくは近接状態を維持するスペーサー枠体を設けてあることを特徴とするものである。【０００６】  そして第二に、装飾部材を家紋に構成し、該家紋を外輪と内部の紋様を別体の部品に構成したもの若しくは外輪と内部の紋様を一体に構成したものにしたことを特徴とするものである。
【考案の効果】
【０００７】  上記の構成により、装飾部材を額縁内へ収納展示して取付ける構造を展示姿勢位置を決めてボルトとナット止めにて固定することができて、輸送時に展示姿勢位置の取り付けがずれる恐れなく、展示状態時も展示姿勢位置の取り付けが安定しており、長年月に亘って額縁内へ装飾展示物を展示姿勢位置を決めてしっかりと固定維持して展示することができる。
また、家紋を外輪と内部の紋様を別体若しくは一体の部品に構成することが選択でき、それらを上記のようにボルトとナット止めにて展示姿勢位置を決めてしっかりと固定維持することができる。
【図面の簡単な説明】
【０００８】
【図１】本考案の装飾部材を取り付けた額縁の正面図である。
【図２】本考案の装飾部材を取り付けた額縁の背面図である。
【図３】本考案の装飾部材を取り付けた額縁の側断面図である。
【図４】装飾部材を取り付ける中間枠の背面図である。
【図５】装飾部材を取り付ける中間枠の要部拡大側断面図である。
【図６】本考案の額縁に用いられる化粧枠の分解部品図である。
【図７】本考案の額縁に用いられる化粧枠の要部拡大断面図である。
【図８】装飾部材を取り付ける支持基板の側断面図と背面図である。
【図９】装飾部材の家紋の外輪を示す背面図と側面図である。
【図１０】装飾部材の家紋の要部紋様を示す背面図と側面図である。
【図１１】額縁の後部蓋箱を示す背面図と側面図である。
【図１２】装飾部材の家紋の他の実施形態を示す概略正面図である。
【考案を実施するための形態】
【０００９】  以下本考案の実施形態を図面に基づき説明する。図面符号１は正面視正方形の額縁を示し、該額縁１の前部を装飾する外枠２に、外枠２内周全域に亘って設けた正方形板状のアクリル、ガラスなどの透明板３、該透明板３の外周を押さえる化粧枠４，４，４，４が設けられる。各化粧枠４，４，４，４の外周三面は装飾用布４ａで布貼り包装されて化粧されている。これらの透明板３、化粧枠４，４，４，４を押さえる形態で正方形状の中間板材５ａを備える正方形状の中間枠５が設けられている。中間枠５の中央には正方形状の開口孔５ｂが開設されており、該開口孔５ｂの周縁部に凹状の段部５ｃが設けられている。そして、中間板材５ａの正面側には装飾用の化粧布５ｄが貼り付けられている。前記中間枠５の開口孔５ｂ周縁の段部５ｃには、支持基板６が後方より嵌め込まれる。支持基板６には後述する金属製装飾プレートを回り止めして展示姿勢位置を決めた状態でしっかりと固定維持して取り付けるためのボルト孔６ａが多数箇所に穿設されている。
【００１０】  支持基板６の前面には装飾部材としての金属製装飾プレート７が取り付けられ、該金属製装飾プレート７の裏面には複数本のスタッドボルト７ａがスタッド溶接されている。このスタッドボルト７ａを支持基板６のボルト孔６ａを貫通させてナット７ｂで締め付け固定する。このように金属製装飾プレート７を支持基板６に複数本のスタッドボルト７ａを用いてネジ止めすことにより金属製装飾プレート７を回り止めして展示姿勢位置を決めた状態でしっかりと固定維持することができる。
【００１１】  金属製装飾プレート７はステンレスなどの金属製でレーザー加工されて後、表面側の凹凸を修正するために洗浄、研磨したり、鏡面磨きをかけたり、装飾面加工端部のばり取り加工などして角部を丸みを持たせるように仕上げる。装飾面加工端部の角部に丸みを持たせることにより金属製装飾プレート７の鏡面磨き面がふくらみを持たせる感じのイメージとなり装飾的に一段と映える利点がある。このようにしてレーザー加工などで、家紋、社章、看板、表示板、標識、案内板、銘板、絵画などの形態を製造することができるものである。また飾りの外輪８なども金属製装飾プレート７の一部品として金属製で同様に仕上げる。
【００１２】  本考案の実施形態は金属製装飾プレート７が三部品と外輪８が一部品の組み合わせで支持基板６にボルト止めされているが、これを図１２のように一体に成形してレーザー加工しても良いものである。金属製装飾プレートの形態により顧客の要請により如何様にも対応できるものである。金属製装飾プレートを取り付けた支持基板６は、前記のように中間枠５の開口孔５ｂ周縁の段部５ｃに後方より嵌め込まれ、押さえ金具５ｄによって固定される。
【００１３】  中間枠５の背面に位置させて、外枠２の内周に沿って正方形状に設けられた間隙保持材としてのスペーサー枠体９ａと正方形状の背板材９ｂを有する箱状の後部蓋材９を配設し押さえ金具９ｃで固定する。
スペーサー枠体９ａの間隙保持により、背板材９ｂはスタッドボルト７ａの先端に当接若しくは近接した位置になるようにされている。
これにより額縁の裏面もスッキリさせた構成にされている。
【実施例】
【００１４】  金属製装飾プレート７を家紋にした実施例を図面に示している。まず支持基板６には予め金属製装飾プレート７のデザインや部品個数に応じて吊り上げ固定する重量バランスなどを考慮して金属製装飾プレート７を回り止めして展示姿勢位置を決めた状態でしっかりと固定維持して取り付けるための取り付け用のボルト孔６ａを穿設する。
そして、この支持基板６に金属製装飾プレートのスタッドボルト７ａをナット止めして取り付ける。これにより金属製装飾プレート７は回り止めして展示姿勢位置を決めた状態でしっかりと固定維持して取り付けられる。
このようにしたものを額縁の外枠２に嵌めた中間枠５に嵌め込んで押さえ金具で固定し、その後、後部蓋材９を嵌めて固定する。このようにして組み立てる。これにより長年月に亘ってしっかりと固定させて額物内に収容した装飾部材を回り止めして展示姿勢位置を決めた状態でしっかりと固定維持した状態の展示物として展示することができる。
【産業上の利用可能性】
【００１５】本考案の実施形態では装飾部材として金属製装飾プレート７を例示して、家紋、社章、看板、表示板、標識、案内板、銘板、絵画などの形態にレーザー加工されるものを説明したが、加工方法をレーザー加工に特定されるものではなく、プレスによる打ち抜き、型成形などでもよい。
また、装飾プレート７は金属製でなくても樹脂製や木製でもよく材質も特に限定されない。さらに平面形状に限らず立体的な形状のものでも良い。
また、額縁の外観形状も正方形に限らず任意形状のものに応用できる。
【符号の説明】
【００１６】１  額縁
２  外枠
３  透明板
４  化粧枠
５  中間枠
６  支持基板
７  装飾プレート
８  外輪
９  後部蓋材
【図−１】
0003154281.tif 000003
【図−２】
0003154281.tif 000004
【図−３】
0003154281.tif 000005
【図−４】
0003154281.tif 000006
【図−５】
0003154281.tif 000007
【図−６】
0003154281.tif 000008
【図−７】
0003154281.tif 000009
【図−８】
0003154281.tif 000010
【図−９】
0003154281.tif 000011
【図−１０】
0003154281.tif 000012
【図−１１】
0003154281.tif 000013
【図−１２】
0003154281.tif 000014